(57)【特許請求の範囲】
【請求項１】
上下方向に細長い帯状のカラー表示可能な電子ペーパーと，前記電子ペーパーが吊り下げられたフレーム部材と，前記フレーム部材を回転自在に支持する支柱部材と，前記フレーム部材の回転角度を計測する角度センサと，前記角度センサが計測した角度に対応するパターンを前記電子ペーパーに表示させる処理を行うコントローラを備え，
前記コントローラは，前記角度に対応するパターンを前記電子ペーパーに表示させる処理として，パターンとする絵柄の色またはパターンとする絵柄の背景色を前記角度の範囲に応じて変更することを特徴とする電子ペーパー付きのぼり旗。
【発明の詳細な説明】
【技術分野】
【０００１】
本発明は，カラー表示可能な電子ペーパーを用いた表示媒体に関する。
【背景技術】
【０００２】
ディスプレイデバイスの一つである電子ペーパーは，カラーフィルタの使用なしでは白黒のモノクロ表示のみ可能であったが，カラーフィルタを使用することなくカラー表示可能な電子ペーパーが開発された（例えば，特許文献１）。カラー表示可能な電子ペーパーは，プログラムにより表示するパターンを変更できるため，電子書籍や広告媒体のみならず，調度品への採用が期待されている。
【０００３】
カラー表示可能な電子ペーパーを採用した調度品としては，壁や看板などが想定されているが，特許文献２で開示されているような「のぼり旗」の形態も考えられる。屋外に設置されることの多いのぼり旗は，風の影響を受けてのぼり旗の角度が変わるため，のぼり旗の回転角度に応じて，カラー表示可能な電子ペーパーに表示するパターンを変更することで，より多くの人の注目を浴びることができると思われる。
【先行技術文献】
【特許文献】
【０００４】
【特許文献１】特表２０１５−５３２４６１号公報
【特許文献２】特開２０１１−７５５８４号公報
【発明の概要】
【発明が解決しようとする課題】
【０００５】
そこで，本発明は，カラー表示可能な電子ペーパーをディスプレイデバイスに用い，電子ペーパーの回転角度に応じてカラー表示可能な電子ペーパーに表示するパターンを変更できるのぼり旗を提供することを課題とする。
【課題を解決するための手段】
【０００６】
上述した課題を解決する本発明は，上下方向に細長い帯状のカラー表示可能な電子ペーパーと，前記電子ペーパーが吊り下げられたフレーム部材と，前記フレーム部材を回転自在に支持する支柱部材と，前記フレーム部材の回転角度を計測する角度センサと，前記角度センサが計測した角度に対応するパターンを前記電子ペーパーに表示させる処理を行うコントローラを備え，前記コントローラは，前記角度に対応するパターンを前記電子ペーパーに表示させる処理として，パターンとする絵柄の色またはパターンとする絵柄の背景色を前記角度の範囲に応じて変更することを特徴とする電子ペーパー付きのぼり旗である。
【発明の効果】
【０００７】
上述した本発明に係る電子ペーパー付きのぼり旗は，吊り下げ部材の回転角度を計測する角度センサと，カラー表示可能な電子ペーパーを組合せて構成されているため，吊り下げ部材の回転に応じてカラー表示可能な電子ペーパーに表示するパターンを変更できる。
【図面の簡単な説明】
【０００８】
【図１】電子ペーパー付きのぼり旗の外観を説明する図。
【図２】電子ペーパー付きのぼり旗の構造を説明する図。
【図３】電子ペーパー付きのぼり旗の動作を説明する図。
【発明を実施するための形態】
【０００９】
ここから，本発明の好適な実施形態を記載する。なお，以下の記載は本発明の技術的範囲を束縛するものでなく，理解を助けるために記述するものである。
【００１０】
図１は，電子ペーパー付きのぼり旗１の外観を説明する図である。図１で図示したように，本実施形態に係る電子ペーパー付きのぼり旗１（Banner）は，上下方向に細長い帯状の電子ペーパー１０と，電子ペーパー１０が吊り下げられたフレーム部材１１と，フレーム部材１１の端を水平方向に回転自在に支持する支柱部材１２を備えている。
【００１１】
図２は，電子ペーパー付きのぼり旗１の構造を説明する図である。電子ペーパー付きのぼり旗１が備える電子ペーパー１０は，パターンの表示に用いるディスプレイデバイスである。電子ペーパー１０の方式にはツイストボール方式もあるが，本実施形態の電子ペーパー付きのぼり旗１では，カラー表示可能なマイクロカプセル型電気泳動方式を採用している。
【００１２】
図２で図示したように，カラー表示可能なマイクロカプセル型電気泳動方式の電子ペーパー１０は，マトリクス状に配置された画素電極１００と共通の電極となる透明電極１０１の間に，帯電した顔料粒子を含有するマイクロカプセル１０２を挟んだ構造になっている。図２では，ポジティブ（極性が「＋」）に帯電している白色の顔料粒子１０３，ネガティブ（極性が「−」）に帯電している黒色の顔料粒子１０４，および，ネガティブに帯電している白黒以外の顔料粒子（赤色，緑色または青色のいずれか）１０５が一つのマイクロカプセル１０２内に包含されている。
【００１３】
電子ペーパー１０の視野側になる顔料粒子は，画素電極１００と透明電極１０１間の電位によって制御でき，マトリクス状に配置された一つ一つの画素電極１００に印加する電圧は，薄膜トランジスタ（ＴＦＴ）を利用するアクティブマトリックス駆動により制御できるようになっている。白黒以外の顔料粒子１０５として赤色の顔料粒子を含んだマイクロカプセル１０２，白黒以外の顔料粒子１０５として緑色の顔料粒子を含むマイクロカプセル１０２，および，白黒以外の顔料粒子１０５として青色の顔料粒子を含むマイクロカプセル１０２の一つの組として扱い，それぞれのマイクロカプセル１０２で表示する色を制御すれば，電子ペーパー１０に任意の色を表示させることができる。
【００１４】
電子ペーパー付きのぼり旗１のフレーム部材１１は，電子ペーパー１０を吊り下げるための部材で，支柱部材１２によって水平方向に回転自在に支持されている。図２に図示したように，本実施形態に係るフレーム部材１１には，フレーム部材１１に吊り下げる電子ペーパー１０に表示するパターンを制御するコントローラ１３と，フレーム部材１１の回転角度を計測する角度センサ１４が備えられている。
【００１５】
フレーム部材１１のコントローラ１３は具体的にはＣＰＵである。本実施形態に係るコントローラ１３は，フレーム部材１１の回転角度に応じて，電子ペーパー１０に表示するパターンを変更する処理を行う。なお，コントローラ１３を動作させるコンピュータプログラム，および，電子ペーパー１０に表示するパターンはコントローラが有するメモリ（図示していない）に記憶されている。
【００１６】
フレーム部材１１の回転角度を計測する角度センサ１４としては，ロータリーエンコーダを用いることもできるが，軽量かつコンパクトにすることを考えると，スマートフォンなどで利用されているジャイロセンサを用いることが好適である。
【００１７】
本実施形態に係るフレーム部材１１には，上述したものに加え，電子ペーパー１０，コントローラ１３および角度センサ１４に電力を供給するバッテリ１５が内蔵されている。フレーム部材１１に内蔵するバッテリ１５の種類は任意であるが，フレーム部材１１に内蔵するバッテリ１５を充電型とし，充電型のバッテリ１５に電力を供給するソーラパネルをフレーム部材１１や支柱部材１２に設けることが好適である。
【００１８】
電子ペーパー付きのぼり旗１の支柱部材１２は，フレーム部材１１を回転自在に支持する部材で，フレーム部材１１を回転自在に支持する回転機構１６を備える。フレーム部材１１を回転自在に支持する回転機構１６の具体的な手法は任意で，例えば，フレーム部材１１の端側に回転軸を設け，支柱部材１２に設置したベアリングでこの回転軸を支持する構造で回転機構１６を実現することができる。また，特許第４７０９９６４号のように，バネを利用して，回転位置を基準位置に自動復帰させるセンタリング機構を回転機構１６に利用することもできる。
【００１９】
なお，図１では，電子ペーパー付きのぼり旗１の支柱部材１２と接続している取付け治具１２ａを用いて，電子ペーパー付きのぼり旗１を壁に設置しているが，電子ペーパー付きのぼり旗１の設置方法は任意である。例えば，ウォータウェイトで支柱部材１２を支える格好で，電子ペーパー付きのぼり旗１を設置することもできる。
【００２０】
ここから，電子ペーパー付きのぼり旗１の動作について説明する。図３は，電子ペーパー付きのぼり旗１の動作を説明する図である。
【００２１】
電子ペーパー付きのぼり旗１の吊り下げ部材11が備えるコントローラ１３は，一定間隔が経過する毎に角度センサ１４からこの時の角度を取得し（Ｓ１），角度センサ１４からこの時の角度を取得すると，予めコントローラ１３に設定されているパターンの中から，角度センサ１４から取得した角度に対応するパターンを選択した後（Ｓ２），選択したパターンを電子ペーパー１０に表示させる処理を行う。
【００２２】
角度センサ１４から取得した角度に対応するパターンを選択できるように，角度の範囲（例えば，０度から１０度，１０度から２０度，２０度から３０度など）毎のパターンが予めコントローラ１３に設定されている。電子ペーパー１０に表示するパターンの内容は，電子ペーパー付きのぼり旗１の用途に依存する。電子ペーパー付きのぼり旗１を装飾の用途に用いる場合，電子ペーパー１０に表示するパターンはチェック絵柄やストライプ絵柄が好適で，コントローラ１３は，電子ペーパー１０を吊り下げるフレーム部材１１の角度に応じて，チェック絵柄の色やストライプ絵柄の色を変更することになる。また，電子ペーパー付きのぼり旗１を広告の用途に用いる場合，電子ペーパー１０に表示するパターンは広告の絵柄になり，コントローラ１３は，電子ペーパー１０を吊り下げるフレーム部材１１の角度に応じて，広告の背景色を変更することになる。なお，コントローラ１３に設定するパターンは，変化しない静的なパターンでもよいが，プログラムによって動的に変化するパターンでもよい。
【００２３】
これまで説明した実施形態は一例にしか過ぎず，本発明の技術的範囲を逸脱しない範囲で，種々の変更が可能である。例えば，本実施形態では，電子ペーパー１０に表示するパターンを制御するコントローラ１３をフレーム部材１１に設けているが，コントローラ１３を電子ペーパー１０または支柱部材１２に設けた形態も考えられる。
【符号の説明】
【００２４】
１    電子ペーパー付きのぼり旗
１０  電子ペーパー
１１  フレーム部材
１２  支柱部材
１３  コントローラ
１４  角度センサ
【図１】
0006707913.tif 000002
【図２】
0006707913.tif 000003
【図３】
0006707913.tif 000004